【手続補正書】
【提出日】平成29年2月13日(2017.2.13)
【手続補正１】
【補正対象書類名】特許請求の範囲
【補正対象項目名】全文
【補正方法】変更
【補正の内容】
【特許請求の範囲】
【請求項１】
エンドユーザモバイルデバイスにおいて、
壁の中に隠された建築物インフラストラクチャから放出する信号の１つまたは複数の態様を観察または測定することと、前記信号は、前記建築物インフラストラクチャへの接続点の地点において注入器によって注入された信号エネルギーに少なくとも部分的に応答して、壁の中に隠された前記建築物インフラストラクチャから放出し、前記１つまたは複数の信号は前記接続点から外側に前記建築物インフラストラクチャを通して放射する、
前記エンドユーザモバイルデバイスの現在のロケーションと前記エンドユーザモバイルデバイスのすでに知られているロケーションとの間の推定差に少なくとも部分的に基づいて、１つまたは複数の態様を前記観察または測定するのと同時に前記現在のロケーションの観察を取得することと、
測位支援データの計算に使用するために、前記観察または測定された１つまたは複数の態様および前記観察を含む、１つまたは複数のメッセージをサーバに送信することと、ここにおいて前記観察または測定された１つまたは複数の態様および前記観察を含む前記１つまたは複数のメッセージは、当該エリア内で定義されるロケーションにおける観察可能エネルギーの態様の予想測定値または観察を示す、クラウドソースされた符号値を構築するのに適している、を備える方法。
【請求項２】
前記すでに知られているロケーションにおける位置フィックスを取得することと、
前記位置フィックスから前記現在のロケーションの前記観察までの前記エンドユーザモバイルデバイスの移動を測定することと
によって、前記現在のロケーションと前記すでに知られているロケーションとの間の前記差を推定することをさらに備える、請求項１に記載の方法。
【請求項３】
前記移動を測定することは、１つまたは複数の慣性センサーから取得された測定値に少なくとも部分的に基づいて、前記移動を測定することをさらに備える、請求項２に記載の方法。
【請求項４】
そして、さらにカメラデバイスにおける視覚的指示を取得することによって、前記現在のロケーションと前記すでに知られているロケーションとの間の前記差を推定することをさらに備える、請求項２に記載の方法。
【請求項５】
前記位置フィックスを取得することは、１つまたは複数の衛星測位システム（ＳＰＳ）信号を収集することをさらに備える、、または
前記位置フィックスを取得することは、ワイヤレスローカルエリアネットワークアクセスポイントから送信された１つまたは複数の信号を収集することをさらに備える、、または
前記位置フィックスを取得することは、
前記すでに知られているロケーションに配置される間に壁の中に隠された前記建築物インフラストラクチャから放出する信号の前記１つまたは複数の態様を観察または測定すること、前記信号は、前記注入された信号に少なくとも部分的に応答して、壁の中に隠された前記建築物インフラストラクチャから放出する、および
前記観察または測定された前記１つまたは複数の態様に対するすでに決定された測位支援データの適用に少なくとも部分的に基づいて、前記エンドユーザモバイルデバイスの前記すでに知られているロケーションを推定することをさらに備える、請求項２に記載の方法。
【請求項６】
前記エンドユーザモバイルデバイスの前記すでに知られているロケーションと１つまたは複数の追加のすでに知られているロケーションとの間で補間することによって、
前記現在のロケーションと前記すでに知られているロケーションとの間の前記差を推定することをさらに備える、請求項１に記載の方法。
【請求項７】
前記１つまたは複数の態様を前記観察または測定するのと同時に前記エンドユーザモバイルデバイスの前記現在のロケーションの前記観察を取得することは、前記エンドユーザモバイルデバイスのロケーションを１つまたは複数の慣性センサーから取得された測定値に少なくとも部分的に基づくマップ特徴に関連付けることをさらに備える、請求項１に記載の方法。
【請求項８】
前記エンドユーザモバイルデバイスの前記現在のロケーションの前記観察を取得することは、
壁の中に隠された前記建築物インフラストラクチャから放出する信号の前記１つまたは複数の態様の観察または測定と対にされた、前記エンドユーザモバイルデバイスのロケーションの一連の観察を取得することと、
前記一連の観察を再順序付けすることとをさらに備える、請求項１に記載の方法。
【請求項９】
タッチスクリーン上に表示されたマップ上のロケーションを介した前記エンドユーザモバイルデバイスの前記タッチスクリーン上のユーザ選択に少なくとも部分的に基づいて、前記１つまたは複数の態様を前記観察または測定するのと同時に前記エンドユーザモバイルデバイスの現在のロケーションの観察を取得することをさらに備える、請求項１に記載の方法。
【請求項１０】
壁の中に隠された前記建築物インフラストラクチャから放出する前記信号は、さらに、中央ロケーションから媒体内に注入された信号に応答して送信され、および/または、
壁の中に隠された前記建築物インフラストラクチャから放出する前記信号は、さらに、複数の分散されたロケーションから媒体内に注入された信号に応答して送信され、および/または、
壁の中に隠された前記建築物インフラストラクチャは、電気配線、配管用パイプ、金属架構、またはＨＶＡＣ導管のうちの１つまたは複数を備え、および/または、
前記方法が、前記観察または測定された１つまたは複数の態様と前記観察から少なくとも部分的に導出された、少なくとも１つまたは複数の符号値を備える、更新された測位支援データを受信することをさらに備える、請求項９に記載の方法。
【請求項１１】
壁の中に隠された建築物インフラストラクチャから放出する信号の１つまたは複数の態様を観察または測定するための手段と、前記信号は、前記建築物インフラストラクチャへの接続点の地点において注入器によって注入された信号エネルギーに少なくとも部分的に応答して、壁の中に隠された前記建築物インフラストラクチャから放出し、前記１つまたは複数の信号は前記接続点から外側に前記建築物インフラストラクチャを通して放射する、
エンドユーザモバイルデバイスの現在のロケーションと前記エンドユーザモバイルデバイスのすでに知られているロケーションとの間の推定差に少なくとも部分的に基づいて、前記１つまたは複数の態様を観察または測定するのと同時に前記現在のロケーションの観察を取得するための手段と、
測位支援データの計算に使用するために、前記観察または測定された１つまたは複数の態様および前記観察を含む、１つまたは複数のメッセージをサーバに送信するための手段と、ここにおいて前記観察または測定された１つまたは複数の態様および前記観察を含む前記１つまたは複数のメッセージは、当該エリア内で定義されるロケーションにおける観察可能エネルギーの態様の予想測定値または観察を示す、クラウドソースされた符号値を構築するのに適している、を備える装置。
【請求項１２】
タッチスクリーン上に表示されたマップ上のロケーションを介した前記エンドユーザモバイルデバイスの前記タッチスクリーン上のユーザ選択に少なくとも部分的に基づいて、前記１つまたは複数の態様を前記観察または測定するのと同時に前記エンドユーザモバイルデバイスの現在のロケーションの観察を取得するための手段をさらに備える、請求項１１に記載の装置。
【請求項１３】
１つまたは複数のモバイルデバイスから、前記１つまたは複数のモバイルデバイスの同時グラウンドトゥルース観察、および壁の中に隠された建築物インフラストラクチャから放出する信号の測定値または観測を備えるメッセージを受信することと、前記信号は、壁の中に隠された前記建築物インフラストラクチャ内に注入された１つまたは複数の信号に応答して、前記壁の中に隠された前記建築物インフラストラクチャから放出する、
１つまたは複数のロケーションに基づくサービスのための、壁の中に隠された前記建築物インフラストラクチャから放出する信号の後続の測定値または観測への適用のために、１つまたは複数の符号値を導出するように前記測定値または観測とロケーションを組み合わせることと、
を備える、サーバにおける方法。
【請求項１４】
１つまたは複数のモバイルデバイスから、前記１つまたは複数のモバイルデバイスの同時グラウンドトゥルース観察、および壁の中に隠された建築物インフラストラクチャから放出する信号の測定値または観測を備えるメッセージを受信するための手段と、前記信号は、壁の中に隠された前記建築物インフラストラクチャ内に注入された１つまたは複数の信号に応答して、前記壁の中に隠された前記建築物インフラストラクチャから放出する、
１つまたは複数のロケーションに基づくサービスのための、壁の中に隠された前記建築物インフラストラクチャから放出する信号の後続の測定値または観測への適用のために、１つまたは複数の符号値を導出するように前記測定値または観測とロケーションを組み合わせるための手段と、
を備える、サーバ。
【請求項１５】
プロセッサによって実行可能な、記憶された機械可読命令を備える非一時的記憶媒体を備える物品であって、前記命令は、前記プロセッサによって実行されるとき、前記プロセッサに、請求項１−１１または１３のうちのいずれか一項に記載の方法のステップを実行させる、物品。